(57)【特許請求の範囲】
【請求項１】
吸収性物品の包装体であって、
包装シート部材にて形成された包装袋と、
前記包装袋に収容された複数の吸収性物品と、
を備え、
前記包装袋が、
前面、後面、２つの側面、上面および下面を有する略直方体の袋部と、
前記前面および前記後面からそれぞれ連続して前記上面よりも上方に伸び、把持する際に指が挿入される開口を有するシート状の２つの把持部と、
前記前面、前記後面および前記２つの側面のそれぞれの上半分の領域にて連続するように全周に形成された弱化線と、
を備え、
前記前面、前記後面および前記２つの側面の少なくとも１つの面が、前記弱化線よりも下側に他の弱化線を有し、前記他の弱化線が、破断されることにより前記少なくとも１つの面に開口を形成するためのものであることを特徴とする吸収性物品の包装体。
【請求項２】
請求項１に記載の吸収性物品の包装体であって、
前記包装シート部材が、前記前面から一方の把持部の外面へと連続し、前記一方の把持部の上端にて下方かつ内側へと折り返されて前記一方の把持部の内面を形成し、前記内面の下端から前記上面へと連続し、前記上面の前記後面側の端部から上方へと向かって他方の把持部の内面を形成し、前記他方の把持部の上端にて下方かつ外側へと折り返されて前記他方の把持部の外面を形成し、前記外面から前記後面へと連続することを特徴とする吸収性物品の包装体。
【請求項３】
請求項１または２に記載の吸収性物品の包装体であって、
前記複数の吸収性物品が、
前記下面に平行な配列方向に配列された吸収性物品の集合である第１吸収性物品群と、
前記配列方向に配列された吸収性物品の集合であり、前記第１吸収性物品群上に積層されて前記上面に接する第２吸収性物品群と、
を備え、
前記弱化線が、前記第２吸収性物品群の上下の面の間に位置することを特徴とする吸収性物品の包装体。
【発明の詳細な説明】
【技術分野】
【０００１】
本発明は、吸収性物品の包装体に関する。
【背景技術】
【０００２】
従来より、使い捨ておむつや使い捨ておむつの内側に取り付けられる補助吸収具（例えば、尿取りパッド）等の吸収性物品は、複数個が所定の配列方向に配列されて圧縮された状態で包装袋に収容されて販売されている。包装体の形状は通常、略直方体となっており、包装体を運搬する際に把持される把持部が包装体の上面に設けられる。
【０００３】
把持部としては、特許文献１のように、包装袋の上面の前後方向の中央において左右方向に伸びる１つのシート状の部位に開口が形成されたものが利用される。あるいは、特許文献２のように、両端部が包装袋の前面に接合された紐状部材と後面に接合されたもう１本の紐状部材とが把持部として利用される。
【先行技術文献】
【特許文献】
【０００４】
【特許文献１】特開２００６−２９０３８３号公報
【特許文献２】特開２００３−２９２０４３号公報
【発明の概要】
【発明が解決しようとする課題】
【０００５】
ところで、特許文献１に示される把持部を形成する際には、まず、筒状の包装シート部材が準備され、上側の開口近傍において、左右の側面から上方に伸びる部位が内側に折り畳まれる。次に、前面および後面から上方に伸びる部位を前後方向の中央に向けて斜めに倒した上で端部を接合することにより把持部が形成される。このため、複数の吸収性物品と把持部との間に、屋根型の大きな面積の部位が形成されることとなり、包装シート部材の使用量が増加して包装体の製造コストが増大し、包装体の高さも高くなってしまう。また、特許文献２のように、紐状部材が把持部とされる場合、包装シート部材とは別の紐状部材を包装シート部材に接合する必要があるため、包装袋の製造工程が複雑化し、包装体の製造コストが増大してしまう。
【０００６】
本発明は、上記課題に鑑みなされたものであり、吸収性物品の包装体の製造コストを低減することを目的としている。
【課題を解決するための手段】
【０００７】
請求項１に記載の発明は、吸収性物品の包装体であって、包装シート部材にて形成された包装袋と、前記包装袋に収容された複数の吸収性物品とを備え、前記包装袋が、前面、後面、２つの側面、上面および下面を有する略直方体の袋部と、前記前面および前記後面からそれぞれ連続して前記上面よりも上方に伸び、把持する際に指が挿入される開口を有するシート状の２つの把持部と前記前面、前記後面および前記２つの側面のそれぞれの上半分の領域にて連続するように全周に形成された弱化線とを備え、前記前面、前記後面および前記２つの側面の少なくとも１つの面が、前記弱化線よりも下側に他の弱化線を有し、前記他の弱化線が、破断されることにより前記少なくとも１つの面に開口を形成するためのものである。
【０００８】
請求項２に記載の発明は、請求項１に記載の吸収性物品の包装体であって、前記包装シート部材が、前記前面から一方の把持部の外面へと連続し、前記一方の把持部の上端にて下方かつ内側へと折り返されて前記一方の把持部の内面を形成し、前記内面の下端から前記上面へと連続し、前記上面の前記後面側の端部から上方へと向かって他方の把持部の内面を形成し、前記他方の把持部の上端にて下方かつ外側へと折り返されて前記他方の把持部の外面を形成し、前記外面から前記後面へと連続する。
【００１０】
請求項３に記載の発明は、請求項１または２に記載の吸収性物品の包装体であって、前記複数の吸収性物品が、前記下面に平行な配列方向に配列された吸収性物品の集合である第１吸収性物品群と、前記配列方向に配列された吸収性物品の集合であり、前記第１吸収性物品群上に積層されて前記上面に接する第２吸収性物品群とを備え、前記弱化線が、前記第２吸収性物品群の上下の面の間に位置する。
【発明の効果】
【００１２】
本発明では、吸収性物品の包装体の製造コストを低減することができる。
【図面の簡単な説明】
【００１３】
【図１】第１の実施の形態に係る包装体の斜視図である。
【図２】包装袋の断面図である。
【図３】製造途上の包装袋の平面図である。
【図４】製造途上の包装袋の断面図である。
【図５】袋部の斜視図である。
【図６】第２の実施の形態に係る包装体の斜視図である。
【発明を実施するための形態】
【００１４】
図１は、本発明の第１の実施の形態に係る包装体１を示す斜視図である。包装体１は、吸収性物品９のパッケージであり、包装袋３の内部に複数の吸収性物品９を収容した構造を有する。包装袋３は、包装シート部材にて袋状に形成されたものであり、包装袋３には、複数の吸収性物品９が図１中のＸ方向に配列されて（すなわち、積層されて）圧縮された状態で収容される。包装シート部材としては、例えば、ポリエチレン等の樹脂製の柔軟な可撓性フィルムが利用される。吸収性物品９は、使い捨ておむつや使い捨ておむつの内側に取り付けられる補助吸収具（例えば、尿取りパッド）、生理用品等であり、図１では、それぞれ２つ折りにされた約２０枚の吸収性物品９が包装袋３に収容されている。
【００１５】
包装袋３は、複数の吸収性物品９を収容した状態において略直方体である袋部３０を備え、袋部３０は、複数の吸収性物品９の（＋Ｚ）側および（−Ｚ）側をそれぞれ覆う上面１１および下面１２、複数の吸収性物品９の（−Ｙ）側および（＋Ｙ）側をそれぞれ覆う前面１３および後面１４、並びに、複数の吸収性物品９の（＋Ｘ）側および（−Ｘ）側をそれぞれ覆う２つの側面１５，１６を有する。なお、袋部３０の上面１１、下面１２、前面１３、後面１４および側面１５，１６は、包装体１の上面、下面、前面、後面および側面でもある。
【００１６】
前面１３は、通常、商品名や商品の特徴が大きく記載される面であり、前面１３および後面１４の水平方向（Ｘ方向）の幅は、２つの側面１５，１６の水平方向（Ｙ方向）の幅よりも大きい。なお、前面１３および後面１４の双方に大きく商品名等が記載される場合、いずれの面が前面または後面と捉えられてもよい。上面１１は、複数の吸収性物品９の周囲を囲む前面１３、後面１４および２つの側面１５，１６により下面１２に接続される。
【００１７】
包装袋３は、さらに、袋部３０の前面１３および後面１４からそれぞれ連続して上面１１よりも上方（すなわち、（＋Ｚ）方向）に伸びる２つのシート状の把持部１７ａ，１７ｂを備える。把持部１７ａ，１７ｂのＸ方向の長さは、前面１３および後面１４のＸ方向の長さにほぼ等しく、把持部１７ａ，１７ｂはそれぞれ、Ｘ方向のおよそ中央に略楕円形の開口１７１を有する。包装体１が運搬される際には、運搬者の指が把持部１７ａ，１７ｂの開口１７１に挿入され、把持部１７ａ，１７ｂの開口１７１の上側の部位（すなわち、上面１１から離れている側の部位）が把持される。把持部１７ａ，１７ｂは、２つの側面１５，１６からそれぞれ連続して上面１１よりも上方に伸びる２つの側壁部１８により接続される。
【００１８】
図２は、包装袋３をＸ方向に垂直な面にて切断した断面図である。図２に示すように、包装袋３では、包装シート部材が前面１３から一方の把持部１７ａ（すなわち、（−Ｙ）側の把持部）の外面１７２ａへと連続し、把持部１７ａの上端にて下方かつ内側へと折り返されて把持部１７ａの内面１７３ａを形成する。包装シート部材は、把持部１７ａの下端から上面１１へと連続し、上面１１の後面１４側（（＋Ｙ）側）の端部から上方へと向かって他方の把持部１７ｂ（すなわち、（＋Ｙ）側の把持部）の内面１７３ｂを形成する。包装シート部材は、さらに、把持部１７ｂの上端にて下方かつ外側へと折り返されて把持部１７ｂの外面１７２ｂを形成し、外面１７２ｂから後面１４へと連続する。
【００１９】
把持部１７ａにおいて２層に重ねられた包装シート部材は把持部１７ａの下端において熱接合され、把持部１７ｂにおいて２層に重ねられた包装シート部材は把持部１７ｂの下端において熱接合される。これにより、把持部１７ａ，１７ｂと上面１１との境界が形成される。上面１１は下面１２におよそ平行であり、複数の吸収性物品９の上端におよそ全面に亘って接する。換言すれば、把持部１７ａ，１７ｂと上面１１との境界が、複数の吸収性物品９の上端と上下方向においておよそ同じ位置に位置する。
【００２０】
包装袋３は、図１に示すように、前面１３、（＋Ｘ）側の側面１５、後面１４および（−Ｘ）側の側面１６のそれぞれの上半分の領域（本実施の形態では、上面１１近傍）にて連続するように全周に形成された弱化線１９１を有する。また、包装袋３の前面１３および後面１４はそれぞれ、弱化線１９１よりも下側であって弱化線１９１の近傍に環状の他の弱化線１９２を有する。図１では、弱化線１９１，１９２を太い長破線にて示す。
【００２１】
本実施の形態では、弱化線１９１，１９２は、断続的に形成された直線状の切れ目により形成されるミシン目である。以下の説明では、弱化線１９１，１９２を区別するために、それぞれ「第１弱化線１９１」および「第２弱化線１９２」という。各第２弱化線１９２は、前面１３および後面１４の幅方向（すなわち、Ｘ方向）のおよそ中央にて、第１弱化線１９１から所定の距離だけ下方に離間して配置される。２つの第２弱化線１９２に囲まれる部位はそれぞれ、互いに等しい矩形状である。
【００２２】
図３は製造途上の包装袋３を示す平面図であり、図４は、包装袋３を図３中のＡ−Ａの位置にて切断した断面図である。包装体１が製造される際には、折り返される前の帯状の包装シート部材に、第１弱化線１９１および第２弱化線１９２が形成される。続いて、図４に示すように、包装シート部材が、第１折り返し線２１にて下側かつ内面（すなわち、吸収性物品９に接する面）側へと折り返され、第２折り返し線２２にて上側かつ外面側へと折り返され、さらに、第１折り返し線２１と同じ高さの第３折り返し線２３にて下側かつ内面側へと折り返される。
【００２３】
次に、図３に示すように、包装シート部材の幅方向（図３中の左右方向）の両側端部がヒートシールにより接合され、第１接合部３１が形成される。また、図４に示すように、包装シート部材の第１折り返し線２１の両側の部位が、第１折り返し線２１と第２折り返し線２２との間にてヒートシールにより接合され、幅方向に伸びる直線状の第２接合部３２が形成される。さらに、第３折り返し線２３の両側の部位が、第３折り返し線２３と第２折り返し線２２との間にてヒートシールにより接合され、幅方向に伸びる直線状の第３接合部３３が形成される。図３では、包装シート部材の第１接合部３１および第２接合部３２に平行斜線を付す。なお、第１接合部３１の形成は、第２接合部３２および第３接合部３３の形成よりも後に行われてもよく、第２接合部３２および第３接合部３３の形成は、包装シート部材の第１折り返し線２１ないし第３折り返し線２３における折り返しの間に行われてもよい。
【００２４】
図４において、第２接合部３２から第２折り返し線２２を経由して第３接合部３３に至る部位は、包装袋３の上面１１となる。また、図４中において最も左側に位置する面の第２接合部３２よりも下側の部位（すなわち、第１折り返し線２１とは反対側の部位）は、包装袋３の前面１３、および、側面１５，１６の前面１３側の部位となり、最も右側に位置する面の第３接合部３３よりも下側の部位は、包装袋３の後面１４、および、側面１５，１６の後面１４側の部位となる。第２接合部３２と第１折り返し線２１との間の２層の部位は、前面１３に連続する把持部１７ａ、および、側壁部１８の前面１３側の部位となり、第３接合部３３と第２折り返し線２２との間の２層の部位は、後面１４に連続する把持部１７ｂ、および、側壁部１８の後面１４側の部位となる。図３では、把持部１７ａと両側の側壁部１８との間の境界、前面１３と側面１５，１６との間の境界、および、当該境界の延長線を二点鎖線にて示す。
【００２５】
第１接合部３１、第２接合部３２および第３接合部３３が形成されると、２つの把持部１７ａ，１７ｂに開口１７１が形成される。その後、図３および図４に示す下部開口３４から複数の吸収性物品９（図１参照）が包装袋３内に収容され、包装袋３の下部開口３４近傍の部位が、複数の吸収性物品９の下側を覆うように内側に折り畳まれて接合されることにより、包装袋３の下面１２（図１参照）が形成されて包装体１の製造が終了する。
【００２６】
包装体１では、上述のように、包装袋３の上面１１が複数の吸収性物品９の上端におよそ全面に亘って接する。このため、包装袋の上面の前後方向の中央において左右方向に伸びる１つのシート状の部位に開口が形成された把持部を有する包装体に比べて、把持部１７ａ，１７ｂの下端と複数の吸収性物品９の上端との間に屋根型の大きな面積の部位が形成されることが防止される。これにより、包装袋３を形成するために必要とされる包装シート部材の量が減少し、包装体１の製造コストを低減することができるとともに、包装体１の小型化を実現することもできる。また、把持部１７ａ，１７ｂが包装シート部材により包装袋３の袋部３０と共に形成されるため、包装シート部材とは別の部材により把持部を形成する場合に比べて包装袋３の製造工程を簡素化し、包装体１の製造コストを低減することができる。
【００２７】
包装袋３では、上述のように、包装シート部材が前面１３から一方の把持部１７ａの外面１７２ａへと連続し、把持部１７ａの上端にて下方かつ内側へと折り返されて把持部１７ａの内面１７３ａを形成し、把持部１７ａの下端から上面１１へと連続し、上面１１の後面１４側の端部から上方へと向かって他方の把持部１７ｂの内面１７３ｂを形成し、さらに、把持部１７ｂの上端にて下方かつ外側へと折り返されて把持部１７ｂの外面１７２ｂを形成し、外面１７２ｂから後面１４へと連続する。このような構造を採用することにより、包装袋３の形成を容易とすることができる。
【００２８】
図１に示す包装体１が使用される際には、包装シート部材が第１弱化線１９１にて破断され、第１弱化線１９１よりも上側の部位（すなわち、前面１３、後面１４および２つの側面１５，１６の上端部、上面１１、並びに、２つ把持部１７ａ，１７ｂおよび２つの側壁部１８）が除去される。そして、上部が開放された袋部３０から吸収性物品９が順次取り出されて使用される。あるいは、袋部３０から全ての吸収性物品９が取り出されて所定の保管場所に載置され、当該保管場所から吸収性物品９が順次持ち出されて使用される。
【００２９】
図５は、全ての吸収性物品９が取り出された後の袋部３０（正確には、袋部３０から上面１１および上面１１近傍の部位が除去されたもの）を示す斜視図である。袋部３０は、使用済みの吸収性物品９等を廃棄するためのゴミ袋として使用される。袋部３０がゴミ袋として使用される際には、包装シート部材が２つの第２弱化線１９２（図１参照）にて破断され、前面１３および後面１４から第２弱化線１９２により囲まれた矩形の部位がそれぞれ除去されて開口３５が形成される。そして、開口３５にゴミ容器のフック等を挿入して袋部３０を当該フック等に引っかけることにより、袋部３０の上部開口３６（すなわち、ゴミを投入する投入口）が大きく開いた状態で維持され、袋部３０に対するゴミの投入が容易とされる。開口３５は、また、袋部３０が運搬される際に運搬者の指を挿入して運搬を容易とするためにも利用される。
【００３０】
包装体１では、包装袋３が第１弱化線１９１（図１参照）を有することにより、第１弱化線１９１よりも上側の部位を容易に切除し、袋部３０に上部開口３６を容易に形成することができる。その結果、全ての吸収性物品９が取り出された後の包装袋３を、ゴミ袋として容易に利用することができる。また、包装袋３の前面１３および後面１４に、開口３５を形成するための第２弱化線１９２（図１参照）が設けられることにより、ゴミ袋として利用される袋部３０を把持するための、または、袋部３０を引っかけるための開口３５を容易に形成することができる。
【００３１】
次に、本発明の第２の実施の形態に係る包装体について説明する。図６は第２の実施の形態に係る包装体１ａを示す斜視図である。包装体１ａは、包装袋３ａの内部に複数の吸収性物品９が上下２段に積み重ねられて収容される点を除き、図１および図２に示す包装体１と同様の構成を備える。以下の説明では、包装体１の各構成に対応する包装体１ａの構成に同符号を付す。図６に示す包装体１ａの包装袋３ａの構造は、袋部３０ａの前面１３、後面１４および２つの側面１５，１６の上下方向の高さが異なる点を除き、第１の実施の形態に係る包装袋３と同様であり、包装袋３ａの製造方法も包装袋３と同様である。
【００３２】
包装体１ａでは、包装袋３ａに収容される複数の吸収性物品９が、それぞれが図６中のＸ方向に配列された吸収性物品９の集合である第１吸収性物品群９１および第２吸収性物品群９２を備え、第２吸収性物品群９２は第１吸収性物品群９１上に積層されて包装袋３ａの上面１１に接する。なお、第１吸収性物品群９１では、吸収性物品９は必ずしもＸ方向に配列される必要はなく、下面１２に平行な配列方向に配列されていればよい（第２吸収性物品群９２においても同様）。
【００３３】
包装袋３ａでは、第１弱化線１９１が、第１の実施の形態と同様に、前面１３、（＋Ｘ）側の側面１５、後面１４および（−Ｘ）側の側面１６のそれぞれの上半分の領域にて連続するように全周に形成される。換言すれば、第１弱化線１９１は、第２吸収性物品群９２の上下の面の間に位置する。第２吸収性物品群９２の上の面とは、第２吸収性物品群９２を構成する複数の吸収性物品９の上端におよそ接する面であり、第２吸収性物品群９２の下の面とは、第２吸収性物品群９２を構成する複数の吸収性物品９の下端におよそ接する面である。
【００３４】
包装体１ａでは、包装袋３ａの上面１１が第２吸収性物品群９２の上の面におよそ全面に亘って接するため、把持部１７ａ，１７ｂの下端と複数の吸収性物品９の上端との間に屋根型の大きな面積の部位が形成されることが防止される。これにより、第１の実施の形態と同様に、包装シート部材の使用量を減少させて包装体１ａの製造コストを低減することができるとともに、包装体１ａの小型化を実現することもできる。また、包装シート部材とは別の部材により把持部を形成する場合に比べて包装袋３ａの製造工程を簡素化し、包装体１ａの製造コストを低減することができる。さらに、包装袋３ａの構造を包装袋３の上述の構造と同様とすることにより、包装袋３ａを容易に形成することができる。
【００３５】
包装体１ａが使用される際には、第１の実施の形態と同様に、包装シート部材が第１弱化線１９１にて破断され、第１弱化線１９１よりも上側の部位が除去される。そして、全ての吸収性物品９が取り出された後の袋部３０ａは、使用済みの吸収性物品９等を廃棄するためのゴミ袋として使用される。このとき、包装シート部材が第２弱化線１９２にて破断されて開口３５（図５参照）が形成される。
【００３６】
包装体１ａでは、包装袋３ａが第１弱化線１９１を有することにより、第１の実施の形態と同様に、包装袋３ａの第１弱化線１９１よりも上側の部位を容易に切除して上部開口３６（図５参照）を容易に形成することができる。その結果、全ての吸収性物品９が取り出された後の包装袋３ａを、ゴミ袋として容易に利用することができる。また、第１弱化線１９１が第２吸収性物品群９２の上下の面の間に位置するため、第１弱化線１９１よりも上側の部位を除去した後の包装袋３ａの深さを十分に確保することができる。これにより、ゴミの収容量を大きくすることができる。さらに、包装袋３ａの前面１３および後面１４に、第１の実施の形態と同様に第２弱化線１９２が設けられることにより、ゴミ袋として利用される袋部３０ａを把持するための、または、引っかけるための開口３５を容易に形成することができる。
【００３７】
以上、本発明の実施の形態について説明してきたが、本発明は上記実施の形態に限定されるものではなく、様々な変更が可能である。
【００３８】
第２の実施の形態に係る包装体１ａでは、３つ以上の吸収性物品群が上下方向に積層されてもよい。この場合、ゴミの収容量を大きくするという観点から、第１弱化線１９１は、最も上側に位置する吸収性物品群の上下の面の間に位置することが好ましい。
【００３９】
上記実施の形態に係る包装体では、包装袋の第２弱化線１９２に囲まれる部位の形状は矩形には限定されず、例えば楕円形であってもよい。また、第２弱化線１９２は必ずしも環状である必要はなく、第２弱化線１９２にて包装シート部材を破断することにより開口３５が形成されるのであれば、例えばＵ字状であってもよい。この場合、第２弱化線１９２の内側の部位は、開口３５の形成時に包装袋から切除されることなく、当該部位の上側の部位と連続した状態となる。なお、第２弱化線１９２は、包装袋の前面１３、後面１４および２つの側面１５，１６の少なくともいずれか１つに設けられていればよい。
【００４０】
第１弱化線１９１および第２弱化線１９２は、例えば、断続的に配列された丸穴等により形成されるミシン目であってもよい。また、周囲の部位に比べて強度が小さい溝（すなわち、包装シート部材を貫通しない切り込み）が、第１弱化線１９１として、前面１３、後面１４および２つの側面１５，１６に連続して設けられてもよい。
【００４１】
上記実施の形態に係る包装体では、包装袋の製造方法や吸収性物品９の包装袋への収容方法は様々に変更されてよい。
【符号の説明】
【００４２】
１，１ａ  包装体
３，３ａ  包装袋
９  吸収性物品
１１  上面
１２  下面
１３  前面
１４  後面
１５，１６  側面
１７ａ，１７ｂ  把持部
３０，３０ａ  袋部
３５  開口
９１  第１吸収性物品群
９２  第２吸収性物品群
１７１  開口
１７２ａ，１７２ｂ  外面
１７３ａ，１７３ｂ  内面
１９１  第１弱化線
１９２  第２弱化線
【図１】
0005554602.tif 000002
【図２】
0005554602.tif 000003
【図３】
0005554602.tif 000004
【図４】
0005554602.tif 000005
【図５】
0005554602.tif 000006
【図６】
0005554602.tif 000007